(57)【要約】      （修正有）【課題】リクライニング機能を備えた介護ベッドにおいて、上半身側を起こしたときのシーツ等の滑り落ちを確実に防止する滑り落ち防止具を提供する。【解決手段】リクライニング機能を備えた介護ベッド１のマットレス１５上に敷設されるシーツ２１の滑り落ちを防止するための滑り落ち防止具３であって、紐状部材３１と、シーツ２１の上端部２１１に一体に設けられて紐状部材３１の一端を通し得る孔部３５０を保持する布テープ３５とを有する。紐状部材３１は、その一端を布テープ３５の孔部３５０の孔枠に連結され、他端を介護ベッド１のマットレス載置台１０の裏面側の部位／部材に連結される。【選択図】図１
0003206929.tif 000002
【実用新案登録請求の範囲】
【請求項１】
リクライニング機能を備えた介護ベッドのマットレス上に敷設若しくは載置されている載設物が、当該介護ベッドの上半身側が起こされたときに滑り落ちることを防止するための滑り落ち防止具であって、
１本又は２本以上の紐状部材と、
前記載設物の上端部に当該載設物と一体に設けられ、前記紐状部材の一端を通し得る孔部を保持する孔部保持部材と、
を有し、
前記紐状部材は、その一端を前記孔部保持部材の孔部の孔枠に連結され、他端を前記介護ベッドのマットレス載置台の可係止部位に連結される、
ことを特徴とする滑り落ち防止具。
【請求項２】
請求項１に於いて、
前記マットレス載置台の可係止部位は、マットレス載置台の通気孔間の縁枠である、
ことを特徴とする滑り落ち防止具。
【請求項３】
請求項１に於いて、
前記載設物は、介護ベッドのマットレス上に敷設されて幅方向両端の縁部をマットレスの裏面側に折り返されるシーツであり、
前記紐状部材の少なくとも１本は、前記他端を、前記マットレス載置台の可係止部位に代えて、マットレスの裏面側に前記シーツの縁部とともに折り返されている該縁部付近の孔部の孔枠に連結される、
ことを特徴とする滑り落ち防止具。
【請求項４】
請求項１に於いて、
前記載設物は、介護ベッドのマットレス上に敷設されて幅方向両端の縁部をマットレスの裏面側に折り返されるシーツであり、
前記孔部保持部材は、その両端が前記シーツの幅方向両端の縁部から突出するように当該シーツの上端部に設けられた布テープであり、その両端にはそれぞれ先端部を折り返して当該布テープに固着することにより形成された孔部を有し、
前記シーツの幅方向両端の縁部寄りに配される紐状部材は、前記他端を、前記マットレス載置台の可係止部位に代えて、マットレスの裏面側に前記シーツの縁部とともに折り返されている前記布テープ両端の孔部の孔枠に連結される、
ことを特徴とする滑り落ち防止具。
【請求項５】
請求項４に於いて、
前記シーツの幅方向中央に配される紐状部材は、前記他端を、前記マットレス載置台の可係止部位に連結される、
ことを特徴とする滑り落ち防止具。
【請求項６】
請求項３〜請求項５の何れかの滑り落ち防止具が設けられたシーツ。
【請求項７】
リクライニング機能を備えた介護ベッドの上半身側が起こされたときに滑り落ちることを防止するための滑り落ち防止具を備えたシーツであって、
前記滑り落ち防止具は、
少なくとも３本の紐状部材と、
前記シーツの上端部に当該シーツと一体に設けられ、前記紐状部材の一端を通し得る孔部を少なくとも５個保持する布テープと、
を有し、
前記布テープは、その両端が前記シーツの幅方向両端の縁部から突出するように当該シーツの上端部に設けられ、その両端にはそれぞれ先端部を折り返して当該布テープに固着することにより形成された孔部を有し、
前記紐状部材は、その一端を前記布テープ両端の孔部を除く孔部の孔枠に連結され、他端を前記介護ベッドのマットレス載置台の可係止部位、又は、当該布テープの両端の孔部の孔枠に連結される、
ことを特徴とするシーツ。
【請求項８】
請求項１に於いて、
前記載設物は、介護ベッドのマットレス上に載置される枕カバーと、該枕カバーの上端部側の開口部から収容された枕であり、
前記孔部保持部材は、前記枕カバーの開口部付近に設けられている、
ことを特徴とする滑り落ち防止具。
【請求項９】
請求項８に於いて、
前記孔部保持部材は、前記枕カバーの開口部付近の表側と裏側とに設けられており、
前記紐状部材は、その一端を前記枕カバーの開口部の表側の孔部保持部材の孔部の孔枠に連結され、他端を前記枕カバーの開口部の裏側の孔部保持部材の孔部に挿通され、さらに、前記マットレス載置台の可係止部位に連結される、
ことを特徴とする滑り落ち防止具。
【請求項１０】
請求項８又は請求項９の何れかの滑り落ち防止具が設けられた枕カバー。
【請求項１１】
請求項１〜請求項３、請求項８、請求項９の何れかに於いて、
前記孔部保持部材は前記載設物の上端部に縫いつけられた布テープであり、長手方向の所定の部位が縫いつけられずに前記載設物から浮かされることにより前記孔部が形成されている、
ことを特徴とする滑り落ち防止具。
【請求項１２】
請求項１〜請求項３、請求項８、請求項９の何れかに於いて、
前記孔部保持部材は、布テープ基部と、該布テープ基部の上面に隆起する緩みを持つように縫いつけられた布テープ付加部とから成り、前記孔部保持部材の孔部は、前記布テープ付加部の隆起する緩みの下方且つ前記布テープ基部との間として構成されている、
ことを特徴とする滑り落ち防止具。
【考案の詳細な説明】
【技術分野】
【０００１】
本考案は、リクライニング機能を備えた介護ベッド上に敷設され若しくは載置されている載設物（シーツ，枕等）が、介護ベッドの上半身側を起こしたときに滑り落ちることを防止するための滑り落ち防止具に関する。
また、本考案は、滑り落ち防止具を備えたシーツや枕カバーに関する。
【背景技術】
【０００２】
リクライニング機能を備えた介護ベッドでは、上半身側を起こしたときにマットレス上のシーツや枕がずり落ちて、使用者には不快感を与え、介護者には整え直すための余分な手間をかけさせることが多い。このため、ずり落ちを防止する手段が望まれている。
従来、ずり落ちを防止するための手段としては、例えば、
（ａ）シーツの裏面（敷設状態で隠れる側の面）に滑り止めを設ける；
（ｂ）シーツの上端部（上半身側の端部，以下同様）の両コーナーにゴムバンドを取り付けておき、マットレス上端部の両コーナーに掛止する；
（ｃ）シーツの上端部を、クリップで、マットレスの上端部に挟み止めする；
等が提案され、若しくは、実際に用いられている。
【０００３】
特許第３６６８９４９号（特許文献１）には、マットレスの上端部に袋状のカバーを被着し、該袋状カバーを介して、シーツの上端部をマットレス載置台（ベッド）の裏面側の上端部に連結する構成が開示されている。即ち、袋状カバーの表面側（＝マットレス上端部の表面側を覆う部位）とシーツの上端部とを安全ピンで連結するとともに、袋状カバーの裏面側（＝マットレス上端部の裏面側を覆う部位）とマットレス載置台（ベッド）とを結着部材で連結する構成が開示されている。
ここで、裏面側にて袋状カバーとマットレス載置台（ベッド）とを連結する結着部材としては、一端を袋状カバーの裏面側に縫いつけられた帯状の面ファスナーの他端をマットレス載置台の網目に通して巻き付けて止める例が示されているが、これに限定されず、他の例として、一端を袋状カバーの裏面側に縫いつけられた紐の他端をマットレス載置台の網目に通して結びつけるようにして良い旨も記載されている（段落００４５）。
また、表面側にて袋状カバーとシーツとを連結する構成も安全ピンに限定されず、例えば、一対の面ファスナーを用いて止める構成や、フックをフック孔に係止する構成を用いて良い旨も記載されている。
【先行技術文献】
【特許文献】
【０００４】
【特許文献１】特許第３６６８９４９号公報
【考案の概要】
【考案が解決しようとする課題】
【０００５】
前述の防止手段（ａ）では、裏面に滑り止めを設けた特製のシーツが必要であり、普通のシーツを使用できないという問題がある。
前述の防止手段（ｂ）では、使用に伴い徐々にゴムバンドが伸びてしまうため、長期間の使用に耐え得ないという問題がある。
前述の防止手段（ｃ）では、クリップをマットレスに取り付けるための構造（例：特開２００６−２０４６４３号公報に記載の構造等）を付加する必要があり、構成が複雑化してコスト高となる。また、メンテナンスの手間隙も要する。
前述の特許文献１では、袋状カバーをマットレスの上端部に被着する作業に人手と手間を要するため、あまり頻繁に袋状カバーを取り替えて洗濯することができず、不衛生になりがちである。また、シーツとマットレス載置台（ベッド）とを直接的に結びつけるのではなく、その間に袋状カバー及びその附属部材（安全ピン／面ファスナー／フック，一端を袋状カバーに縫いつけられた複数の帯状の面ファスナー／紐）を介するため、シーツに皺や偏りが生じ易くなり、それらを無くすべく綺麗に整える作業に手間隙を要する。
【０００６】
本考案は上述の諸事情に鑑みたものであり、リクライニング機能を備えた介護ベッドの上半身側を起こしたときの載設物（シーツ，枕等）の滑り落ちを確実に防止できるようにすることを目的とする。また、そのための作業を、介護者が一人でも簡単に行うことができるようにすることを目的とする。
【課題を解決するための手段】
【０００７】
本考案の構成を、下記［１］〜［１２］に記す。なお、この項（［課題を解決するための手段］）と次項（［考案の効果］）に於いて、符号や図番は理解を容易にするために付したものであり、本考案を符号や図番の構成に限定する趣旨ではない。
【０００８】
［１］構成１
リクライニング機能を備えた介護ベッド１のマットレス１５上に敷設若しくは載置されている載設物２１（／２５）が、当該介護ベッド１の上半身側が起こされたときに滑り落ちることを防止するための滑り落ち防止具３であって、
１本又は２本以上の紐状部材３１（／３１ｃ，３１ｅ）と、
前記載設物２１（／２５）の上端部２１１に当該載設物２１（／２５）と一体に設けられ、前記紐状部材３１の一端を通し得る孔部３５０（３５０ｃ，３５０ｅ，３５０ｅｅ）を保持する孔部保持部材３５と、
を有し、
前記紐状部材３１（／３１ｃ，３１ｅ）は、その一端を前記孔部保持部材３５の孔部３５０（３５０ｃ，３５０ｅｅ）の孔枠３５１（３５１ｃ，３５１ｅ，３５１ｅｅ）に連結され、他端を前記介護ベッド１のマットレス載置台１０の可係止部位１０１に連結される、
ことを特徴とする滑り落ち防止具３。
上記に於いて、載設物としては、シーツ２１や枕２５を例示することができる。
また、上記に於いて、孔部保持部材３５は、例えば、比較的細い幅の帯状の布（布テープ）を、シーツ２１や枕２５若しくは枕カバー２５０の上端部に縫いつける／貼り付ける等して構成することができる。
また、上記に於いて、孔部保持部材３５が保持する孔部３５０は、載設物２１／２５との関わりによるのではなく、後述の構成１２のように孔部保持部材３５のみで形成されてもよく（図３（ｂ））、或いは、後述の構成１１のように孔部保持部材３５と該孔部保持部材３５が設けられる載設物２１（／２５）との関わりによって形成されてもよい（図３（ａ））。或いはまた、載設物２１（／２５）の上端部付近で該載設物２１（／２５）自体に孔部３５０を形成し、必要に応じて、その周囲を補強材２１Ｒで補強し、該孔部３５０及びその周囲を、孔部保持部材３５と定義してもよい（図４）。
［２］構成２
構成１に於いて、
前記マットレス載置台１０の可係止部位は、マットレス載置台１０の通気孔１００間の縁枠１０１である、
ことを特徴とする滑り落ち防止具３。
【０００９】
［３］構成３（図３（ｃ））
構成１に於いて、
前記載設物は、介護ベッド１のマットレス１５上に敷設されて幅方向両端の縁部２１ｅをマットレス１５の裏面側に折り返されるシーツ２１であり、
前記紐状部材３１の少なくとも１本は、前記他端を、前記マットレス載置台１０の可係止部位１０１に代えて、マットレスの裏面側に前記シーツ２１の縁部２１ｅとともに折り返されている該縁部２１ｅ付近の孔部３５０ｅの孔枠３５１ｅに連結される、
ことを特徴とする滑り落ち防止具３。
図３（ｃ）に於いて、２１ｃｒ１はマットレス１５の表面と側面の境界の折り目、２１ｃｒ２はマットレス１５の側面と裏面の境界の折り目である。つまり、２１ｃｒ１〜２１ｃｒ２の距離は、概ね、マットレス１５の厚さに相当する。
［４］構成４（図２）
構成１に於いて、
前記載設物は、介護ベッド１のマットレス１５上に敷設されて幅方向両端の縁部２１ｅをマットレスの裏面側に折り返されるシーツ２１であり、
前記孔部保持部材３５は、その両端が前記シーツ２１の幅方向両端の縁部２１ｅから突出するように当該シーツ２１の上端部に設けられた布テープ３５であり、その両端にはそれぞれ先端部を折り返して当該布テープに固着することにより形成された孔部３５０ｅｅを有し、
前記シーツ２１の幅方向両端の縁部２１ｅ寄りに配される紐状部材３１ｅは、前記他端を、前記マットレス載置台１０の可係止部位１０１に代えて、マットレス１５の裏面側に前記シーツ２１の縁部２１ｅとともに折り返されている前記布テープ３５両端の孔部３５ｅｅの孔枠３５１ｅｅに連結される、
ことを特徴とする滑り落ち防止具３。
［５］構成５
構成４に於いて、
前記シーツ２１の幅方向中央に配される紐状部材３１ｃは、前記他端を、前記マットレス載置台１０の可係止部位１０１に連結される、
ことを特徴とする滑り落ち防止具３。
［６］構成６
構成３〜構成５の何れかの滑り落ち防止具３が設けられたシーツ２１。
［７］構成７（図２）
リクライニング機能を備えた介護ベッド１の上半身側が起こされたときに滑り落ちることを防止するための滑り落ち防止具３を備えたシーツ２１であって、
前記滑り落ち防止具３は、
少なくとも３本の紐状部材３１（３１ｃ，３１ｅ，３１ｅ）と、
前記シーツ２１の上端部に当該シーツ２１と一体に設けられ、前記紐状部材３１の一端を通し得る孔部３５０を少なくとも５個保持する布テープ３５と、
を有し、
前記布テープ３５は、その両端が前記シーツ２１の幅方向両端の縁部２１ｅから突出するように当該シーツ２１の上端部に設けられ、その両端にはそれぞれ先端部を折り返して当該布テープ３５に固着することにより形成された孔部３５０ｅｅを有し、
前記紐状部材３１は、その一端を前記布テープ両端の孔部３５０ｅｅを除く孔部３５０ｃ／３５０の孔枠３５１ｃ／３５１に連結され、他端を前記介護ベッド１のマットレス載置台１０の可係止部位１０１、又は、当該布テープ３５の両端の孔部３５０ｅｅの孔枠３５１ｅｅに連結される、
ことを特徴とするシーツ２１。
［８］構成８（図５）
構成１に於いて、
前記載設物は、介護ベッド１のマットレス１５上に載置される枕カバー２５０と、該枕カバー２５０の上端部側の開口部２５１から収容された枕２５であり、
前記孔部保持部材３５は、前記枕カバー２５０の開口部２５１付近に設けられている、
ことを特徴とする滑り落ち防止具３。
［９］構成９（図５（ｂ））
構成８に於いて、
前記孔部保持部材３５は、前記枕カバー２５０の開口部２５１付近の表側と裏側とに設けられており、
前記紐状部材３１は、その一端を前記枕カバー２５０の開口部２５１の表側の孔部保持部材３５の孔部の孔枠に連結され、他端を前記枕カバー２５０の開口部２５１の裏側の孔部保持部材３５の孔部に挿通された後、前記マットレス載置台１０の通気孔１００間の縁枠１０１に連結される、
ことを特徴とする滑り落ち防止具３。
［１０］構成１０
構成８又は構成９の何れかの滑り落ち防止具３が設けられた枕カバー２５０。
［１１］構成１１（図３（ａ））
構成１〜構成３、構成８、構成９の何れかに於いて、
前記孔部保持部材３５は前記載設物２１／２５の上端部に縫いつけられた布テープ３５であり、長手方向の所定の部位が縫いつけられずに前記載設物２１／２５から浮かされることにより前記孔部３５０が形成されている、
ことを特徴とする滑り落ち防止具３。
［１２］構成１２（図３（ｂ））
構成１〜構成３、構成８、構成９の何れかに於いて、
前記孔部保持部材３５は、布テープ基部３５ａと、該布テープ基部３５ａの上面に隆起する緩みを持つように縫いつけられた布テープ付加部３５ｂとから成り、前記孔部保持部材３５の孔部３５０は、前記布テープ付加部３５ｂの隆起する緩みの下方且つ前記布テープ基部３５ａとの間として構成されている、
ことを特徴とする滑り落ち防止具３。
【考案の効果】
【００１０】
構成１は、リクライニング機能を備えた介護ベッド１のマットレス１５上に敷設若しくは載置されている載設物２１（／２５）が、当該介護ベッド１の上半身側が起こされたときに滑り落ちることを防止するための滑り落ち防止具３であって、１本又は２本以上の紐状部材３１（／３１ｃ，３１ｅ）と、前記載設物２１（／２５）の上端部２１１に当該載設物２１（／２５）と一体に設けられ、前記紐状部材３１の一端を通し得る孔部３５０（３５０ｃ，３５０ｅ，３５０ｅｅ）を保持する孔部保持部材３５とを有し、前記紐状部材３１（／３１ｃ，３１ｅ）は、その一端を前記孔部保持部材３５の孔部３５０（３５０ｃ，３５０ｅｅ）の孔枠３５１（３５１ｃ，３５１ｅ，３５１ｅｅ）に連結され、他端を前記介護ベッド１のマットレス載置台１０の可係止部位１０１に連結されることを特徴とする滑り落ち防止具３であるため、紐状部材３１によりシーツ２１や枕２５等の載設物の上端部をマットレス載置台１０に結びつけることができる。このため、介護ベッドの上半身側を起こしたときのシーツ２１や枕２５等の滑り落ちを、確実に防止することができる。また、そのための作業も紐状部材３１を結びつけるという簡単な作業で足りるため、介護者が一人であっても容易に行うことができる。
構成２〜５、８、９、１１、１２も、それぞれ、より具体的な構成に於いて、略同様の作用効果を奏することができる。
構成７は、リクライニング機能を備えた介護ベッド１の上半身側が起こされたときに滑り落ちることを防止するための滑り落ち防止具３を備えたシーツ２１であって、前記滑り落ち防止具３は、少なくとも３本の紐状部材３１（３１ｃ，３１ｅ，３１ｅ）と、前記シーツ２１の上端部に当該シーツ２１と一体に設けられ、前記紐状部材３１の一端を通し得る孔部３５０を少なくとも５個保持する布テープ３５とを有し、前記布テープ３５は、その両端が前記シーツ２１の幅方向両端の縁部２１ｅから突出するように当該シーツ２１の上端部に設けられ、その両端にはそれぞれ先端部を折り返して当該布テープ３５に固着することにより形成された孔部３５０ｅｅを有し、前記紐状部材３１は、その一端を前記布テープ両端の孔部３５０ｅｅを除く孔部３５０ｃ／３５０の孔枠３５１ｃ／３５１に連結され、他端を前記介護ベッド１のマットレス載置台１０の可係止部位１０１、又は、当該布テープ３５の両端の孔部３５０ｅｅの孔枠３５１ｅｅに連結されることを特徴とするシーツ２１であるため、構成１と同様の作用効果を奏し得るシーツ２１を提供することができる。構成６も同様である。
構成１０は、構成８又は９の何れかの滑り落ち防止具３が設けられた枕カバー２５０であるため、構成８又は９と同様の作用効果を奏し得る枕カバー２５０を提供することができる。
【図面の簡単な説明】
【００１１】
【図１】（ａ）はリクライニング機能を備えた介護ベッド１に於ける滑り落ち防止具３（３１，３５）の配置関係を模式的に示す説明図、（ｂ）は（ａ）内矢視Ｂ方向から見た模式的説明図、（ｃ）は矢視Ｂが指示する部位を（ａ）の紙面直交方向・上方から見た模式的説明図、（ｄ）は（ａ）内矢視Ｄ方向から見た模式的説明図。
【図２】シーツ２１の幅方向両端の縁部２１ｅをマットレス１５の裏面側に折り込む場合であって、布テープ（孔部保持部材）３５の長手方向両端に孔部３５０ｅｅが形成されている場合を示す説明図。（ａ）は（ｂ）内矢視Ａ方向から見た模式図、（ｂ）はシーツ２１の上端部付近を示す模式的平面図であり、縁部２１ｅをマットレス１５の裏側へ折り込んでいない状態を示す。（ｃ）は（ｄ）内矢視Ｃ方向から見た模式図、（ｄ）はシーツ２１の上端部付近を示す模式的平面図であり、縁部２１ｅをマットレス１５の裏側へ折り込んだ状態を示す。
【図３】（ａ）（ｂ）は孔部保持部材３５の孔部３５０を形成する態様を例示する模式的断面図（図２（ｄ）内の矢視３−３（図内ではローマ数字で表記）線で示す部位の断面図）、（ｃ）は孔部保持部材３５をシーツ２１に一体に設ける態様であって図２とは異なる態様を例示する模式的平面図。（ａ）は孔部保持部材３５とシーツ２１とで孔部３５０を形成する例、（ｂ）は孔部保持部材３５のみで孔部３５０を形成する例を示す。また、（ｃ）は図２（ｂ）に対応する部位を示した図である。
【図４】孔部保持部材３５の孔部３５０を形成する態様であって図３（ａ）（ｂ）とは異なる態様を例示する模式的断面図（ａ）と、（ａ）内矢視Ｂで示す方向から見た平面図（ｂ）。
【図５】シーツ２１及び枕２５の滑り落ちを防止する実施の形態を模式的に示す説明図。（ａ）はシーツ２１の上端部付近を示す平面図であり、（ｂ）は（ａ）内矢視Ｂ方向から枕２５及び枕カバー２５０を見た状態を示す。
【考案を実施するための形態】
【００１２】
図面を参照して、本考案の実施の形態を説明する。
図１（ａ）は、介護ベッド１に於ける、滑り落ち防止具３（３１，３５）の設置位置を模式的に示す。図示のように、滑り落ち防止具３（３１，３５）は介護ベッド１の上端部付近に設けられており、シーツ２１の上端部２１１の縁に沿って縫いつけられてシーツ２１と一体化された布テープ（＝孔部保持部材）３５と、該布テープ３５を介護ベッド１の裏面側に連結するための少なくとも１本の紐状部材（例：木綿の紐）３１とから成る。
【００１３】
この滑り落ち防止具３は、リクライニング機能を備えた介護ベッド１の上半身側が起こされたときに、シーツ２１が滑り落ちる（ずり落ちる）ことを防止する。即ち、紐状部材３１が、その一端をシーツ２１と一体の布テープ３５に連結され、他端を介護ベッド１の裏面側に連結されるため、結果、シーツ２１は、紐状部材３１を介して介護ベッド１に連結されることとなり、滑り落ちが確実に防止される。なお、図１（ｂ）（ｄ）では、紐状部材３１としては２本が示されているが、１本のみ又は３本以上であってもよく、後述の図２の例では３本（３１ｃ，３１ｅ，３１ｅ）が用いられている。
【００１４】
紐状部材３１の連結について、さらに、述べる。
紐状部材３１は、その一端を、図１（ｄ）に示すように、布テープ３５に設けられた孔部３５０に挿通されて結びつけられる。図中、ｋｎは結び目を示す。また、紐状部材３１は、その他端を、図１（ｃ）に示すように介護ベッド１の上端部を経て、裏面側に結びつけられる。例えば、図１（ｂ）に示すように、裏面側のマットレス載置台１０の通気孔１００−通気孔１００間の縁枠１０１に結びつけられる。
【００１５】
布テープ３５には、図３（ａ）、図３（ｂ）、又は、図４（ａ）（ｂ）に示すようにして、孔部３５０が形成されており、該孔部３５０の孔枠３５１に、紐状部材３１の前記一端が結びつけられる。ここで、図３（ａ）、図３（ｂ）、図４（ａ）は、図２（ｄ）内の矢視３−３（図内ではローマ数字で表記）線部分の模式的断面図である。
【００１６】
図３（ａ）は、布テープ３５とシーツ２１とで、孔部３５０を形成した例である。この例では、シーツ２１の上端部の縁に沿って布テープ３５を縫いつける際に、所定間隔をあけて縫いつけない部分を設け、該部分をシーツ２１から若干浮かせる（＝離間させる）ようにすることで、孔部３５０を所望の各部位（孔部３５０を設けるべき各部位）に形成している。つまり、シーツ２１の上端部に沿って或る長さに渡って布テープ３５を縫いつけた後、縫いつけない部分を或る所定の長さに渡って設けるとともに該部分を弛ませてシーツ２１から浮かせ、その後、再び布テープ３５をシーツ２１に縫いつける、ということを繰り返すことにより、孔部３５０を所望の各部位に形成している。
【００１７】
図３（ｂ）は、布テープ３５を、布テープ基部３５ａと布テープ付加部３５ｂとで構成して、布テープ単独で孔部３５０を形成した例である。即ち、布テープ基部３５ａの上面の所定の各部位（孔部３５０を設けるべき各部位）に、該布テープ基部３５ａの上面から浮く（隆起する）弛み（緩み）を持つようにして布テープ付加部３５ｂを縫いつけることにより孔部３５０を形成し、こうして孔部３５０を所望の各部位に形成した布テープ３５を、シーツ２１の上端部の縁に沿って縫いつけたものである。
【００１８】
布テープ付加部３５ｂとしては、布テープ基部３５ａと同じ材質であってもよく、異なる材質であってもよい。また、布テープ付加部３５ｂとしては、１枚の長い布テープ（布テープ基部３５ａより長い布テープ）を、布テープ基部３５ａと２枚重ねにして、上述のように所望の各部位を浮かせて縫いつけてもよく、また、比較的短い長さの複数の布テープを、それぞれ所望の各部位に、上述のように浮かせて縫いつけてもよい。また、布テープ付加部３５ｂの幅は、布テープ基部３５ａと同じであってもよく、狭くてもよい。さらに、布テープ付加部３５ｂは、テープ状（帯状）のものに限定されず、例えば、紐状のもので構成してもよい。
【００１９】
図４（ａ）（ｂ）は、シーツ２１の上端部の縁近傍の所定の各部位（孔部３５０を設けるべき各部位）に孔をあけるとともに、該孔の周囲を必要に応じて補強材２１Ｒで補強することにより、孔部３５０を形成した例である。この場合、孔部３５０の上縁とシーツ２１の上縁との間の部位（シーツ２１の当該の部位）が孔枠３５１となり、この部位に、紐状部材３１の前記「一端」が結びつけられる。
【００２０】
図２に示す３つの孔部３５０ｃ，３５０，３５０は、上述の何れかの手法によって形成された孔部である。ここで、孔部３５０ｃは、布テープ３５の長手方向（＝シーツ２１の幅方向）の概ね中央部に形成された孔部である。また、孔部３５０，３５０は、布テープ３５の長手方向の両端寄りで、且つ、シーツ２１がマットレス１５の裏面側に折り込まれるときにマットレス１５の表面から側面に折り曲げられる部位の内側に対応する部位に形成された孔部である。つまり、シーツ２１は、幅方向の両側の縁部分２１ｅ，２１ｅがマットレス１５の表面を外れて側面から裏面へ折り込まれるのであるが、該縁部分２１ｅよりも内側で、且つ、該縁部分２１ｅに近い部位に対応する部位に形成された孔部が、孔部３５０，３５０である。
【００２１】
図２に示す例では、これら３つの孔部３５０ｃ，３５０，３５０に加えて、さらに、布テープ３５の両端部分で、且つ、シーツ２１の幅方向両端の縁を越えてシーツ２１から突出する部分に、合計２つの孔部３５０ｅｅ，３５０ｅｅが、それぞれ形成されている。これら２つの孔部３５０ｅｅ，３５０ｅｅは、布テープ３５の長手方向両端の各先端部分をそれぞれ折り返して当該布テープに縫いつけることにより形成されたものである。これら２つの孔部３５０ｅｅ，３５０ｅｅの孔枠３５１ｅｅ，３５１ｅｅには、紐状部材３１の前記「他端」が結びつけられる。
【００２２】
つまり、図２（ａ）（ｂ）に示すように、両端寄りの孔部３５０／３５０には、紐状部材３１ｅ／３１ｅの一端が挿通されて、図２（ｃ）（ｄ）に示すように、孔枠３５１／３５１に結びつけられるとともに、その他端が、マットレスの裏面側に折り返されている孔部３５０ｅｅ／３５０ｅｅの孔枠３５１ｅｅ／３５１ｅｅに結びつけられるのである。
これに対して、長手方向中央部の孔部３５０の孔枠３５１には、紐状部材３１ｃの一端が結びつけられるとともに、その他端は、前述の図１（ｂ）の例と同様に、マットレス載置台の通気孔−通気孔間の縁枠１０１に結びつけられる。
【００２３】
このように、図２の例では、シーツ２１の幅方向中央部では、紐状部材３１ｃの他端はマットレス載置台１０の縁枠（可係止部位）１０１に結びつけられるのに対して、両端寄りでは、布テープ３５の両端部分の孔枠３５１ｅｅ／３５１ｅｅに結びつけられる。このように構成した理由は、リクライニング機能で介護ベッド１の上半分を起こしたとき、マットレス載置台１０が、幅方向中央部付近では露出されているため、紐状部材３１の他端を縁枠１０１に結びつけ易いのに対して、両端寄りの部位では、構造上、隠れている場合が多く、結びつけ難い場合が生ずるためである。
【００２４】
紐状部材を結びつける順序としては、表側（シーツ２１の側，紐状部材の一端の側）を先にしてもよく、裏側（マットレス載置台１０の側，紐状部材の他端の側）を先にしてもよい。上述のように構成されており、且つ、結びつける順序も任意であるため、紐状部材３１（３１ｃ／３１ｅ／３１ｅ）を結びつける作業が、非常に容易となる。なお、先述の特許文献１内の段落００４５で言及されている構成のように、一端を袋状カバーの裏面側に縫いつけられた紐の他端をマットレス載置台の網目に通して結びつける作業は、極めて困難である。その理由は、袋状カバーがベッドに固定され、該袋状カバーに紐の一端が固定されているため、作業の自由度が大幅に制約されることにある。
【００２５】
図２に示す例（布テープ３５の両端に孔部３５０ｅｅ，３５０ｅｅ、及び、孔枠３５１ｅｅ，３５１ｅｅを形成した例）の変形例を、図３（ｃ）に示す。
図３（ｃ）の例では、シーツ２１の幅方向両端の縁から突出しない部分に、孔部３５０ｅを設けており、この部分の孔枠３５１ｅに、紐状部材３１ｅの前記「他端」を結びつけるように構成している。図３（ｃ）で、２１ｃｒ１は、シーツ２１の両側の縁部分をマットレス１５の裏面側へ折り込むときに表面と側面の境界線となる部分である。また、２１ｃｒ２は、側面と裏面の境界線となる部分である
このような構成でも、図２と略同様の効果を得る。
【００２６】
次に、載設物がシーツ２１ではなく、枕２５（枕カバー２５０）の場合を説明する。即ち、上記では「シーツ２１の滑り落ち防止」について述べているが、「枕２５の滑り落ち防止」も、同様に実現することができる。
その一例を、図５に即して説明する。
【００２７】
図５では、枕２５を枕カバー２５０に収容し、枕カバー２５０の上端部に固着した布テープ（孔部保持部材）３５の孔部の孔枠３５１に紐状部材３１の一端を結びつけ、その他端を、前述の例と同様にして、裏面側のマットレス載置台の通気孔の縁枠（何れも図５で不図示）に結びつけている。なお、図５（ａ）内のシーツ２１については、前述と同様であるため、布テープ３５を図示するにとどめ、説明は割愛する。
【００２８】
枕２５が収容される枕カバー２５０は、上端に開口部２５１を有する。換言すれば、枕２５は、上端の開口部２５１から、枕カバー２５０に収容される。このため、介護ベッド１を起こした状態でも、枕２５の出し入れが容易である。
【００２９】
また、開口部２５１は閉じ紐２５５（図５（ａ））によって閉じられるのであるが、これに代えて、滑り落ち防止用の紐状部材３１を用いて閉じるように構成してもよい。つまり、紐状部材３１の一端を、開口部２５１の表側（ベッド使用者の側，図５（ｂ）で下方側）の布テープ３５の孔部の孔枠に結びつける（ｋｎは結び目）とともに、他端を、開口部２５１の裏側（シーツ２１に接する側，図５（ｂ）で上方側）の布テープ３５の孔部に挿通した後、マットレス載置台１０に結びつけるようにしてもよい。
このように構成すると、枕カバー２５０の開口部２５１を閉じる作業が一度で済み、介護者の作業負担が軽減される。
【００３０】
前述の例では、布テープ３５をシーツ２１に縫いつけることにより布テープ３５をシーツ２１に固着しているが、固着する手法は「縫いつけ」に限定されず、これに代えて、公知の各種の手法を採用してよいことは勿論である。また、このことは、布テープ基部３５ａと布テープ付加部３５ｂとの固着に関しても同様である。
【００３１】
また、前述の図２の例では、幅方向の非両端寄りの部位の孔部としては、中央部の孔部３５０ｃのみを設けているが、２個以上の孔部を設けてもよい。なお、図２のように中央部のみに孔部を設けた場合には、作業が少なくて済むため作業者が楽であり、且つ、シーツ２１の滑り落ちを防止する効果としても十分な効果を得ることができる。
【００３２】
また、前述の例では、マットレス載置台１０の通気孔１００や通気孔１００−１００間の縁枠１０１を、図１（ｂ）（ｃ）のような形状・位置として示しているが、これらは一例を示すものであり、形状や位置等は任意である。また、紐状部材の前記「他端」を結びつけるべき部位も縁枠１０１に限定されない。公知の介護ベッドのマットレス載置台に用いられている部材若しくは部位等であって、紐状部材３１の前記「他端」を結びつけ得る部材／部位等であればよい。
【符号の説明】
【００３３】
１  介護ベッド
１０  マットレス載置台
１００  通気孔
１０１  通気孔縁枠
１５  マットレス
２１  シーツ（載設物）
２１１  シーツの上端部
２１ｅ  シーツ２１の幅方向の縁部分
２５  枕（載設物）
２５０  枕カバー
２５１  枕カバーの開口部
３  滑り落ち防止具
３１，３１ｃ，３１ｅ  紐状部材（木綿製の紐）
３５  孔部保持部材（幅細で帯状の布，布テープ）
３５ａ  布テープ基部
３５ｂ  布テープ付加部
３５０，３５０ｃ，３５０ｅ，３５０ｅｅ  孔部
３５１，３５１ｃ，３５１ｅ，３５１ｅｅ  孔部の孔枠
【図１】
0003206929.tif 000003
【図２】
0003206929.tif 000004
【図３】
0003206929.tif 000005
【図４】
0003206929.tif 000006
【図５】
0003206929.tif 000007